(57)【要約】【課題】二つの役物を互いに離れた位置から合体させるときの合体精度を向上できる遊技機を提供する。【解決手段】左側移動機構部３８と右側移動機構部３９は、左ボール演出装置３５と右ボール演出装置３６を左右両側から移動させ、左ボールユニット４３の分割面板４３０と右ボールユニット７３の分割面板を互いに近接させる。左ボールユニット４３の分割面板４３０には、爪部５０５〜５０７と凹部５００１，５００２が設けられる。右ボールユニット７３の分割面板には、２つの爪部と３つの凹部が設けられる。爪部５０５〜５０７は、右ボールユニット７３の３つの凹部に差し込まれ、右ボールユニット７３の２つの爪部は、凹部５００１，５００２に差し込まれる。それ故、演出装置３０は、左ボールユニット４３と右ボールユニット７３の合体精度を向上できる。【選択図】図４
2019037363.tif 000002
【特許請求の範囲】
【請求項１】
所定方向において互いに接離するように移動可能に支持された第一可動体及び第二可動体と、
前記第一可動体に設けられた第一役物と、
前記第二可動体に設けられた第二役物と、
前記第一可動体及び前記第二可動体を互いに近接する方向に移動させることによって、前記第一役物及び前記第二役物を夫々の互いに対向する対向部で近接又は接触させる移動駆動手段と
を備え、
前記第一役物及び前記第二役物の夫々の前記対向部には、着脱可能に互いに嵌合する凹部と凸部が設けられたこと
を特徴とする遊技機。
【請求項２】
前記凸部は、対向する前記凹部に向けて先端側が先細り状に形成されたこと
を特徴とする請求項１に記載の遊技機。
【請求項３】
前記第一役物及び前記第二役物の夫々の前記対向部には、互いに対向する位置に磁石と、当該磁石に吸着される磁石受け部とが設けられたこと
を特徴とする請求項１又は２に記載の遊技機。
【発明の詳細な説明】
【技術分野】
【０００１】
本発明は遊技機に関する。
【背景技術】
【０００２】
従来、遊技盤の前面中央部に、ＬＣＤ等からなる液晶表示装置を配設し、その前側において、複数の役物を個々に動作させる遊技機が知られている（例えば、特許文献１参照）。また、複数の役物を個々に動作させる遊技機以外に、例えば、複数の役物を互いに離れた位置から移動して合体させることができる遊技機も知られている。
【先行技術文献】
【特許文献】
【０００３】
【特許文献１】特開２０１３−２２４６８号公報
【発明の概要】
【発明が解決しようとする課題】
【０００４】
後者の遊技機では、複数の役物を移動して合体させるときに相互の位置関係がずれてしまうと、複数の役物の合体構造が崩れてしまい、演出効果が低下するという問題点があった。
【０００５】
本発明の目的は、二つの役物を互いに離れた位置から合体させるときの合体精度を向上できる遊技機を提供することにある。
【課題を解決するための手段】
【０００６】
本発明に係る遊技機は、所定方向において互いに接離するように移動可能に支持された第一可動体及び第二可動体と、前記第一可動体に設けられた第一役物と、前記第二可動体に設けられた第二役物と、前記第一可動体及び前記第二可動体を互いに近接する方向に移動させることによって、前記第一役物及び前記第二役物を夫々の互いに対向する対向部で近接又は接触させる移動駆動手段とを備え、前記第一役物及び前記第二役物の夫々の前記対向部には、着脱可能に互いに嵌合する凹部と凸部が設けられたことを特徴とする。
【０００７】
本発明に係る遊技機によれば、第一役物と第二役物を互いに接近する方向に移動させて夫々の対向部で近接又は接触させたときに、凹部に凸部が嵌合するので、第一役物と第二役物の合体精度を向上できる。また、第一役物と第二役物に一体感を付与できるので、例えば合体した第一役物及び第二役物を一体して移動する等の演出動作を行うことも可能となる。
【０００８】
前記凸部は、対向する前記凹部に向けて先端側が先細り状に形成されるとよい。これにより、凹部に対して凸部の位置が多少ずれていても、凹部を凸部に嵌合させることができる。そして、凹部に凸部が挿入されるときに、第一役物及び第二役物の位置ずれは補正されるので、第一役物及び第二役物を精度よく合体できる。
【０００９】
前記第一役物及び前記第二役物の夫々の前記対向部には、互いに対向する位置に磁石と、当該磁石に吸着される磁石受け部とが設けられるとよい。第一役物と第二役物の夫々の対向部が互いに近付いたとき、各対向部に設けられた磁石と磁石受け部が互いに吸着するので、第一役物と第二役物の合体精度をより向上できる。また、夫々の対向部が互いに吸着した状態となるので、第一役物と第二役物が離れないようにできる。
【図面の簡単な説明】
【００１０】
【図１】パチンコ機１の正面図である。
【図２】遊技盤２の正面図である。
【図３】演出装置３０（支持体３１を含む）の斜視図（初期状態）である。
【図４】演出装置３０の斜視図（初期状態）である。
【図５】演出装置３０の斜視図（合体時、回転前）である。
【図６】演出装置３０の斜視図（回転後）である。
【図７】演出装置３０の背面図（初期状態）である。
【図８】演出装置３０の背面図（合体時、回転前）である。
【図９】左ボール演出装置３５の前側から見た斜視図（回転前）である。
【図１０】左ボール演出装置３５の前側から見た斜視図（回転後）である。
【図１１】左ボール演出装置３５の背面図（回転前）である。
【図１２】左ボール演出装置３５の背面図（回転後）である。
【図１３】左ボール演出装置３５の斜視図（左ボールユニットは省略）である。
【図１４】昇降スライダ４２の前側から見た斜視図である。
【図１５】昇降スライダ４２の背面図である。
【図１６】左ボールユニット４３の背面側から見た斜視図（回転前）である。
【図１７】回転ベース５０の背面側から見た斜視図（回転前）である。
【図１８】左ボールユニット４３の背面側から見た斜視図（回転前：回転ベースは省略）である。
【図１９】ガイド板５１とカム板５２の駆動機構の背面図（回転前）である。
【図２０】ガイド板５１の背面図（回転前）である。
【図２１】カム板５２の背面図（回転前）である。
【図２２】ガイド板５１とカム板５２の駆動機構の背面図（回転後）である。
【図２３】ガイド板５１とカム板５２の駆動機構の背面図（回転後：ボール表面部材５４〜５６を図示）である。
【図２４】右ボール演出装置３６の前側から見た斜視図（回転前）である。
【発明を実施するための形態】
【００１１】
以下、本発明に係る遊技機の一実施形態であるパチンコ機１について、図面を参照して説明する。以下説明では、図１，図２の手前側、奥側、上側、下側、左側、及び右側を、夫々、パチンコ機１の前側、後側、上側、下側、左側、及び右側とする。その他、図中に矢印で示す左右、前後、上下を使用する。
【００１２】
図１，図２を参照し、パチンコ機１の機械的構成を説明する。図１に示すように、パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に金属製の遊技球を供給し、且つ賞球を受ける上皿５が設けられている。上皿５の直下には、賞球を受ける下皿６が設けられている。下皿６の右横には、遊技球の発射を調整する発射ハンドル７が設けられている。ガラス枠１３の上部の左右の角にはスピーカ１０が夫々設けられている。
【００１３】
図２に示すように、遊技盤２の前面には、ガイドレール３で囲まれた略円形の遊技領域４が形成されている。発射機によって発射された遊技球は、遊技領域４内を流下する。遊技領域４の略中央には、表示開口８が設けられている。表示開口８の内側においては、ＬＣＤ等で構成される表示装置２０の表示画面２０Ａが後方から露出する。表示装置２０は、遊技者が大量の賞球を獲得可能な大当たり遊技を生起するか否かの大当たり判定の結果を報知するためのデモ図柄を表示画面２０Ａに表示する。パチンコ機１は、複数のデモ図柄を変動させた後に、大当たり判定の結果を示すデモ図柄の組合せを確定表示させる報知演出を実行することで、大当たり判定の結果を遊技者に報知する。
【００１４】
表示開口８の右側には、普通図柄始動ゲート１２が設けられている。遊技球が普通図柄始動ゲート１２を通過すると、普通当たり判定が行われる。普通図柄始動ゲート１２の下方には、アタッカー装置２１が設けられている。アタッカー装置２１は、案内流路、複数の大入賞口、遊技球を左方に向けて放出する放出口等を備える。複数の大入賞口は、大当たりの判定に伴って、所定のタイミングで開放される。案内流路によって案内された遊技球は大入賞口に入賞可能となる。
【００１５】
表示開口８の下方には、上方から順に、第一特別図柄始動電動役物１４、第二特別図柄始動電動役物１６、及びアウト口１９が設けられている。第一特別図柄始動電動役物１４に遊技球が入賞することを契機として、第一特別図柄の大当たり判定が行われる。第二特別図柄始動電動役物１６は、普通当たり判定によって当たりと判定された場合に、入賞可能となる。第二特別図柄始動電動役物１６に遊技球が入賞することを契機として、第二特別図柄の大当たり判定が行われる。アウト口１９は、遊技領域４の下端まで流下した遊技球を回収し、遊技盤２の後側へ排出する。
【００１６】
遊技盤２の後側には、演出装置３０が設けられている。演出装置３０は、左ボールユニット４３と右ボールユニット７３を個々に又は同時に動作させることによって、種々の演出動作を行うことができる。左ボールユニット４３は、表示画面２０Ａの前側且つ左側に配置された正面視略半球状に形成され、例えばアメリカンフットボールの上下方向に立てたボールの左半分を模したものである。右ボールユニット７３は、表示画面２０Ａの前側且つ右側に配置された正面視略半球状に形成され、例えばボールの右半分を模したものである。演出装置３０は、例えば、左ボールユニット４３及び右ボールユニット７３が左右両側に離れて位置する初期状態（図１〜図４参照）から、左ボールユニット４３及び右ボールユニット７３を左右方向中央部に移動して合体させる第一演出動作（図５参照）と、該第一演出動作で互いに合体した状態から正面視反時計回りに９０°回転させつつ、左ボールユニット４３及び右ボールユニット７３の表面を分割させる第二演出動作（図６参照）等を行うことができる。なお、演出装置３０の具体的な構成と動作については後述する。
【００１７】
図示しないが、パチンコ機１の背面側には制御部（図示略）が設けられている。制御部は、主基板、中継基板、サブ制御基板、及び払出制御基板等を備える。各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。主基板は、第一特別図柄始動電動役物１４、第二特別図柄始動電動役物１６等に接続されている。中継基板は、主基板で行われた各種判定の結果等に基づいて、アタッカー装置２１を駆動する。サブ制御基板は、主基板で行われた各種判定の結果等に基づいて、各種演出動作を実行する。サブ制御基板は、演出装置３０を駆動制御するランプドライバ基板、及び、表示装置２０の表示制御を行う演出制御基板等に接続されている。払出制御基板は、パチンコ機１に設けられた賞球払出装置（図示略）を、主基板から送信されるコマンドに応じて駆動し、賞球としての遊技球を上皿５に払い出させる。
【００１８】
図３〜図８を参照し、演出装置３０の全体構成を説明する。演出装置３０は、支持体３１、一対のレール部材３２，３３、左ボール演出装置３５、右ボール演出装置３６、下側ガイド部材３７、左側移動機構部３８、右側移動機構部３９等を備える。なお、図４〜図８に示す演出装置３０は、説明の便宜上、支持体３１を省略している。
【００１９】
図３に示すように、支持体３１は、正面視略矩形枠状に形成された樹脂製の筐体であり、上枠部３１Ａ、左枠部３１Ｂ、右枠部３１Ｃ、下枠部３１Ｄ等を備える。左枠部３１Ｂと右枠部３１Ｃの間には、前後方向に貫通する正面視略矩形状の開口部３１０が形成されている。支持体３１の前側の開口端に対し、遊技盤２の背面側がネジで固定される。一対のレール部材３２，３３は、例えばステンレス製の棒部材である。レール部材３２，３３は、左枠部３１Ｂの上部と、右枠部３１Ｃの上部との間に略水平に渡設されている。レール部材３２は前側、レール部材３３（図７参照）は後側に互いに平行になるように夫々配置されている。レール部材３２は、開口部３１０（図３参照）の右半分の領域において、右ボール演出装置３６の上部を左右方向に移動可能に支持する。レール部材３３は、開口部３１０の左半分の領域において、左ボール演出装置３５の上部を左右方向に移動可能に支持する。
【００２０】
左ボール演出装置３５は、左ボールユニット４３を昇降又は回転させることによって、右ボール演出装置３６と共に、種々の演出動作を行うことができる。右ボール演出装置３６は、右ボールユニット７３を昇降又は回転させることによって、左ボール演出装置３５と共に、種々の演出動作を行うことができる。下側ガイド部材３７は、下枠部３１Ｄの前側に取り付けられている。下側ガイド部材３７は側面視略Ｌ字状に形成され（図４参照）、その上下方向に延びる板部分の背面下部には、ガイドレール３７Ａ（図７参照）が設けられている。ガイドレール３７Ａは、左ボール演出装置３５の下部に設けられた一対のガイドローラ４０Ａ、及び右ボール演出装置３６の下部に設けられた一対のガイドローラ７０Ａを左右方向にガイドする。
【００２１】
一方、下側ガイド部材３７の前面の左右方向中央部には、正面視略Ｖ字状に配置された一対のしぶき部材３７１，３７２が揺動可能に設けられている。しぶき部材３７１，３７２は、例えば、アメリカフットボールのボールが地面に勢いよくタッチダウンされたときに出来る「水しぶき」を表現している。しぶき部材３７１，３７２は、正面視略Ｖ字方向に延びる一対の長尺状に形成されている。しぶき部材３７１，３７２は、夫々、左右方向中央側の一端部が下方、その反対側の他端部が上方となるように傾斜した状態で、一端部と他端部の間に設けられた支点３７３，３７４（図７参照）によって、互いに略Ｖ字状を保った状態でシーソー状に揺動可能である。
【００２２】
図示しないが、演出装置３０は、例えば、しぶき部材３７１，３７２の互いに対向する左右方向中央側の一端部に対して、左ボールユニット４３及び右ボールユニット７３が合体した状態で上方から自由落下させる。これによって、二つの一端部が下方に一気に押し下げられると同時に、支点３７３，３７４を軸に、それらの反対側の他端部が上方に勢いよく跳ね上がる。これにより、ボールが地面に勢いよくタッチダウンすると同時に、水しぶきが勢いよく跳ね上がる状態をリアルに表現できる。
【００２３】
左側移動機構部３８は、支持体３１の左枠部３１Ｂの下部に設けられ、後述する左モータ８１の動力で、左ボール演出装置３５をレール部材３３に沿って左右方向に移動させることができる。右側移動機構部３９は、支持体３１の右枠部３１Ｃの下部に設けられ、後述する右モータ９１の動力で、右ボール演出装置３６をレール部材３２に沿って左右方向に移動させることができる。
【００２４】
図９〜図１３を参照し、左ボール演出装置３５の構造を説明する。図９，図１０に示すように、左ボール演出装置３５は、支柱部４０、被ガイド部４１、昇降スライダ４２、左ボールユニット４３、昇降装置４４等を備え、正面視略逆Ｌ字状に形成されている。
【００２５】
支柱部４０は、上下方向に延びる略角筒状に形成されている。支柱部４０の内側には、上下方向に延びる穴部が形成され、その穴部には、ラック部材（図示略）が昇降可能に設けられている。ラック部材は、後述する昇降装置４４のモータ４４Ａの出力軸に固定されたピニオンギア（図示略）に噛合する。それ故、モータ４４Ａが駆動すると、ピニオンギアが回転し、ラック部材が昇降する。ラック部材には、突起部（図示略）が設けられている。該突起部は、支柱部４０の前面に設けられた上下方向に延びる長穴（図示略）を介して、後述する昇降スライダ４２に対して下方から当接可能である。
【００２６】
支柱部４０の左側面上部には、スライダ保持装置４５が設けられている。スライダ保持装置４５は、筺体の内側に、左方向に突出する爪部４５Ａ（図１１参照）と、該爪部４５Ａを装置内（右方）に引っ込める為のアクチュエータ（図示略）等を備える。左方向に突出する爪部４５Ａには、昇降スライダ４２の後述する凹部４２２１が係止する。昇降スライダ４２の前面には、左ボールユニット４３が回転可能に支持されているので、左ボールユニット４３は、昇降スライダ４２を介して所定位置に保持される。この状態から、例えばアクチュエータを作動し、爪部４５Ａを右方に移動させることにより、昇降スライダ４２への係止が解除される。これにより、演出装置３０は、左ボールユニット４３を、昇降スライダ４２と共に自由落下させることができる。支柱部４０の下部には、一対のガイドローラ４０Ａが設けられている。一対のガイドローラ４０Ａは、支持体３１の下側ガイド部材３７に設けられたガイドレール３７Ａ（図７参照）に沿って左右方向に摺動可能に支持される。
【００２７】
被ガイド部４１は、支柱部４０の上端部から右方向に突出する略角筒状に形成されている。被ガイド部４１の内側には、レール部材３３が挿通する（図７参照）。それ故、被ガイド部４１は、レール部材３３に沿って左右方向にガイドされる。
【００２８】
図１１に示すように、支柱部４０の背面上部と、被ガイド部４１の背面左端部とには、金属製の補強板４６が固定されている。これにより、支柱部４０と被ガイド部４１の連結部分が補強されている。補強板４６は、支柱部４０の背面上部に対応する部分に、矩形状部４６Ａを備える。矩形状部４６Ａの背面左下角部には、ガイドピン４７が設けられている。ガイドピン４７は、後方に突出する金属製の丸棒状に形成されている。ガイドピン４７は、後述する左アーム部材８２（図７，図８参照）の作用端部８２３によって左右方向に押される。これにより、左ボール演出装置３５が左右方向に移動する（図４，図５参照）。
【００２９】
昇降スライダ４２は、支柱部４０の前面に沿って上下方向に移動可能に支持されている。昇降スライダ４２は、スライダ保持装置４５の外側を囲むように配置される。上記の通り、昇降スライダ４２には、支柱部４０の前面に設けられた長穴（図示略）を介して、ラック部材に設けられた突起部が下方から当接可能である。昇降スライダ４２の具体的形状については後述する。
【００３０】
左ボールユニット４３は、昇降スライダ４２の前面に設けられた後述するガイド溝４２３に沿って正面視反時計回りに９０°回転可能に支持されている（図９〜図１２参照）。左ボールユニット４３の具体的構造については後述する。
【００３１】
昇降装置４４は、支柱部４０の下部に設けられている。昇降装置４４は、モータ４４Ａとピニオンギア（図示略）を備える。モータ４４Ａは、前後方向に出力軸（図示略）を向けて配置されている。ピニオンギアは出力軸に固定され、出力軸と一体して回転する。ピニオンギアは、支柱部４０の穴部に沿って昇降可能に設けられたラック部材と噛合する。それ故、ピニオンギアが一方向に回転すると、ラック部材が上昇する。上記の通り、ラック部材に設けられた突起部は、支柱部４０の前面に設けられた穴部を介して昇降スライダ４２に対して下方から当接可能である。それ故、モータ４４Ａの駆動により、ラック部材を上昇させることによって、突起部が昇降スライダ４２を上方に持ち上げるので、左ボールユニット４３を所定位置まで持ち上げることができる。所定位置に持ち上げられた昇降スライダ４２は、スライダ保持装置４５に保持される。それ故、左ボールユニット４３は、昇降スライダ４２を介して所定位置に保持される。その後、演出装置３０は、モータ４４Ａを一方向とは反対方向に回転させることにより、ラック部材を下降させるとよい。これにより、スライダ保持装置４５による昇降スライダ４２の保持を解除することで、左ボールユニット４３を自由落下させることができる。
【００３２】
図１３〜図１５を参照し、昇降スライダ４２の形状を具体的に説明する。昇降スライダ４２は平面視Ｌ字状に形成され、前面側に支持板部４２１を備える。支持板部４２１は正面視下方に向かって先細り略台形状に形成され、その左端部は、左ボールユニット４３の球面形状に沿って左方に向けて略円弧状にやや膨出している。支持板部４２１の左端部の上部には、被係止部４２２が設けられている。被係止部４２２の内側には、支柱部４０に設けられたスライダ保持装置４５の爪部４５Ａに係止する為の凹部４２２１が設けられている。支持板部４２１の上下方向中央部で且つ右端部寄りには、正面視半円弧状のガイド溝４２３が設けられている。ガイド溝４２３は、仮想中心軸Ｐ１を中心とする半円弧状に形成され、左方に向けて凸となるように湾曲している。仮想中心軸Ｐ１は、例えば支持板部４２１右端部上の略中央部に設定される。ガイド溝４２３には、左ボールユニット４３の後述する回転ベース５０に設けられた一組のコロ部材２３，２４（図１６参照）が転動可能に係止する。
【００３３】
図１５に示すように、支持板部４２１の背面側において、ガイド溝４２３の左斜め下方には、略円形状に形成されたモータ固定部４２４が設けられている。モータ固定部４２４には、モータ２６（図１１参照）がネジで固定される。モータ固定部４２４には、前後方向に貫通する小穴４２４１（図１４参照）が設けられている。小穴４２４１には、モータ２６の出力軸（図示略）が後方から挿入され、前面側に突出する。小穴４２４１から突出する出力軸の先端には、ギア２６Ａ（図１３参照）が固定されている。支持板部４２１の前面には、保護カバー４２５が固定される。保護カバー４２５は、ギア２６Ａを覆うと共にギア２６Ａの右上部を外方に露出させる。
【００３４】
図１３，図１４に示すように、支持板部４２１の前面において、保護カバー４２５の右斜め下方には、前方に突出する略直方体状の凸部４２６が設けられている。凸部４２６の内側には、磁石（図示略）が埋設される。凸部４２６の右側面には、第一当接面４２６１が設けられている。第一当接面４２６１には、回転前の左ボールユニット４３の後述する分割面板４３０の内面（左側面）に設けられた被当接部４３１（図１２参照）と当接する。これにより、左ボールユニット４３が回転前の状態から正面視時計回りに回転するのを規制する。
【００３５】
図１５に示すように、支持板部４２１の背面において、モータ固定部４２４の近傍には、モータカバー４２７が設けられている。モータカバー４２７は、モータ固定部４２４に固定されるモータ２６（図１１参照）の一部を覆って保護する。モータカバー４２７の上方には、コロ支持部４２８が設けられている。コロ支持部４２８は、右方に向けて開口する上下方向に長いカバー状に形成され、内側に上下方向に並ぶ一組のコロ部材（図示略）を転動可能に支持する。昇降スライダ４２の昇降に伴い、一組のコロ部材は、支柱部４０の左側面に沿って転動する。
【００３６】
さらに、支持板部４２１の右端部の近傍で、且つコロ支持部４２８の右方には、上下方向に並ぶ３本のピン４２９が設けられている。これらピン４２９は、支柱部４０の前面に設けられた長穴（図示略）に挿入され、該長穴に沿って上下方向にガイドされる。支柱部４０の内側の穴部においては、長穴から挿入された３本のピン４２９に抜止部材（図示略）が固定され、該移抜止部材が長穴の縁部に内側から係止することで、昇降スライダ４２が支柱部４０の前面から離れないようになっている。支持板部４２１の左端部における被係止部４２２の下方には、配線カバー４２１１が設けられている。配線カバー４２１１は、支持板部４２１の左端部から背面側にＬ字状に屈曲する。例えば、昇降スライダ４２に取り付けられる回路基板等の配線を束ねて、配線カバー４２１１の内側に引っ掛けることで、配線が周囲の部材に引っ掛かるのを防止できる。
【００３７】
図１６〜図２３を参照し、左ボールユニット４３の構造を具体的に説明する。図１６に示すように、左ボールユニット４３は、回転ベース５０、ガイド板５１、カム板５２、内部表面部材５３、ボール表面部材５４〜５７等を備える。ガイド板５１とカム板５２は、ボール表面部材５４〜５６を径方向外側に向けて移動させる駆動機構として機能する。
【００３８】
図１６，図１７を参照し、回転ベース５０の形状を説明する。なお、本実施形態は、図１６，図１７に示す回転前の回転ベース５０の向きで説明する。回転ベース５０は、左ボールユニット４３の背面側に設けられ、昇降スライダ４２の支持板部４２１の前面に対して回転可能に支持される。回転ベース５０は、右端部が略直線状で且つ左端部が半円弧状に湾曲する略半円形状に形成されている。回転ベース５０の前面は、左ボールユニット４３の内側に対向し、回転ベース５０の背面は、左ボールユニット４３の後方に対向する。
【００３９】
回転ベース５０は、円弧状リブ５００、ギア部５０１、小リブ５０２、一組のコロ支持部５０３，５０４、３本の爪部５０５〜５０７等を備える。円弧状リブ５００は、仮想中心軸Ｑ１を中心とする半円弧状に形成され、且つ後方に突出するリブである。仮想中心軸Ｑ１は、回転ベース５０の右端部の長手方向略中央部に設定される。仮想中心軸Ｑ１は、昇降スライダ４２に設定される仮想中心軸Ｐ１（図１３参照）と同軸上に配置される。そして、左ボールユニット４３において、仮想中心軸Ｑ１は、分割面板４３０の外面（右側面）に沿うようにして配置され、左ボールユニット４３の回転軸として機能する。なお、「分割面板４３０の外面（右側面）に沿う」とは、外面に接する形態のみならず、外面から隙間を介して沿っている形態も含む意味である。ギア部５０１は、円弧状リブ５００の湾曲する外面に設けられ、該外面の長手方向に沿って複数の歯を形成する。
【００４０】
小リブ５０２は、円弧状リブ５００の内側領域に形成され、仮想中心軸Ｑ１を中心とし、円弧状リブ５００よりも小径で且つ高さの低いリブである。一組のコロ支持部５０３，５０４は、小リブ５０２の高さ方向の端部に設けられている。コロ支持部５０３，５０４は、後方に突出する円柱状の軸部である。コロ支持部５０３は、小リブ５０２の後端部の長手方向の上側一端部近傍に設けられている。コロ支持部５０４は、コロ支持部５０３よりも下側近傍に隙間を介して設けられている。コロ支持部５０３，５０４には、一組のコロ部材２３，２４（図１６参照）が回転可能に支持される。
【００４１】
３本の爪部５０５〜５０７は、回転ベース５０の右端部に設けられ、背面視略台形状で且つ先細り状に形成されている。なお、本実施形態の爪部５０５〜５０７は、上下方向と前後方向の夫々において先細りになっている。回転ベース５０の右端部の長さ方向略中央部に位置する爪部５０６は、その両側を挟む他の爪部５０５，５０７よりも、回転ベース５０の右端部の長手方向において幅広に形成されている。爪部５０５と５０６の間には、凹部５００１が設けられ、爪部５０６と５０７の間には、凹部５００２が設けられている。凹部５００１には、右ボールユニット７３側の爪部８０５（図２４参照）が差し込まれて嵌合し、凹部５００２には、右ボールユニット７３側の爪部８０６が差し込まれて嵌合する。
【００４２】
回転ベース５０の略半円弧状の左縁部における上部には、上方に突出する背面視略矩形状の上側突出片部５０８が設けられ、下部には下方に突出する背面視略矩形状の下側突出片部５０９が設けられている。上側突出片部５０８には、二つの固定穴５０８１が設けられている。下側突出片部５０９には、二つの固定穴５０９１が設けられている。これら４つの固定穴５０８１，５０９１には、後述するガイド板５１を回転ベース５０の前面側に固定する為のネジが締結される。
【００４３】
さらに、上側突出片部５０８において、二つの固定穴５０８１の間には、ローラ支持部５０８２が設けられている。ローラ支持部５０８２には、補助ローラ５０８３（図１６参照）が回転可能に支持され、その上部には、ローラ押え５０８４が固定される。なお、図１７には、ローラ押え５０８４は図示されていない。補助ローラ５０８３は、回転ベース５０が仮想中心軸Ｑ１を中心に回転する際、昇降スライダ４２の支持板部４２１の前面（以下、「昇降スライダ４２の前面」と呼ぶ）を転動する。これにより、昇降スライダ４２の前面における回転ベース５０の回転動作を安定化させることができる。
【００４４】
図１３，図１６，図１７を参照し、昇降スライダ４２の前面における回転ベース５０の回転支持構造を説明する。昇降スライダ４２の前面側に対し、回転ベース５０の背面側が対向して配置される。回転ベース５０の背面側に設けられたコロ部材２３，２４（図１６参照）は、昇降スライダ４２の前面に設けられたガイド溝４２３（図１３参照）に転動可能に係止する。さらに、回転ベース５０のギア部５０１に対し、昇降スライダ４２の小穴４２４１から突出するモータ２６の出力軸に固定されたギア２６Ａ（図１３参照）が噛合する。これにより、コロ部材２３，２４とギア２６Ａとの間に円弧状リブ５００が挟持された状態となる。コロ部材２３，２４は、ガイド溝４２３に沿って転動するので、回転ベース５０は、昇降スライダ４２の前面に対して、仮想中心軸Ｑ１（Ｐ１）を中心に回転可能である。回転前の状態では、コロ部材２３がガイド溝４２３の上縁部に当接し、回転後の状態では、コロ部材２４がガイド溝４２３の下縁部に当接する。これにより、回転ベース５０の回動範囲が規制される。このような回転支持構造によって、左ボールユニット４３は、昇降スライダ４２の前面において、仮想中心軸Ｑ１（Ｐ１）を中心に、回転前の状態から正面視反時計回りに９０°の範囲内で回転可能となっている。
【００４５】
図１８を参照し、ガイド板５１の形状を説明する。なお、本実施形態は、図１８に示す回転前のガイド板５１の向きで説明する。ガイド板５１は、背面視上下方向に長い略矩形状に形成され、回転ベース５０の前面側にネジで固定される。ガイド板５１は、後述する３枚のボール表面部材５４〜５６を互いに異なる３方向に夫々ガイドする。ガイド板５１は、中心軸穴５１０、第一ガイド穴５１１、第二ガイド穴５１２、第三ガイド穴５１３、二本の補助ガイド穴５１４等を備える。中心軸穴５１０は、ガイド板５１の略中央部に設けられている。中心軸穴５１０には、軸ピン２５（図２０，図２１参照）が挿入固定される。軸ピン２５は、中心軸穴５１０から前後方向に突出する。軸ピン２５には、コイル状のバネ１００が装着される。バネ１００は、ガイド板５１の前面において、後述するカム板５２を背面視時計回りに常時付勢するものである。
【００４６】
第一ガイド穴５１１は、中心軸穴５１０の近傍上部から上方に延びる略直線状の長穴である。第一ガイド穴５１１には、コロ部材６１（図２１参照）が摺動可能に係止する。第一ガイド穴５１１は、コロ部材６１を第一方向にガイドする。第一方向とは、左ボールユニット４３の回転前における上方向（回転後における左方向：図２２参照）である。コロ部材６１には、後述する連結部材６６が連結され、該連結部材６６には、ボール表面部材５４（図２０参照）が固定される。第二ガイド穴５１２は、中心軸穴５１０の近傍左側部から左方に延びる略直線状の長穴である。第二ガイド穴５１２には、コロ部材６２（図２１参照）が摺動可能に係止する。第二ガイド穴５１２は、コロ部材６２を第二方向にガイドする。第二方向とは、左ボールユニット４３の回転前における左方向（回転後における下方向：図２２参照）である。コロ部材６２には、後述する連結部材６７が連結され、該連結部材６７には、ボール表面部材５５（図２０参照）が固定される。第三ガイド穴５１３は、中心軸穴５１０近傍下部から下方に延びる略直線状の長穴である。第三ガイド穴５１３には、コロ部材６３（図２１参照）が摺動可能に係止する。第三ガイド穴５１３は、コロ部材６３を第三方向にガイドする。第三方向とは、左ボールユニット４３の回転前における下方向（回転後における右方向：図２２参照）である。コロ部材６３には、後述する連結部材６８が連結され、該連結部材６８には、ボール表面部材５６（図２０参照）が固定される。
【００４７】
二本の補助ガイド穴５１４は略直線状に形成され、第二ガイド穴５１２の上側と下側において、第二ガイド穴５１２に対して平行に設けられている。二本の補助ガイド穴５１４には、コロ部材６４，６５が夫々摺動可能に係止する。補助ガイド穴５１４は、コロ部材６４，６５を第二方向にガイドする。コロ部材６４，６５は、コロ部材６２が連結する連結部材６７に連結されている。
【００４８】
ガイド板５１の上縁部には、二つの固定穴５１５が設けられ、下縁部には、二つの固定穴５１６が設けられている。固定穴５１５には、回転ベース５０の固定穴５０８１と共にネジが締結される。固定穴５１６には、回転ベース５０の固定穴５０９１と共にネジが締結される。これにより、回転ベース５０の前面側に対して、ガイド板５１が固定される。
【００４９】
ガイド板５１の右端部には、４つの固定穴５１７が上下方向に間隔を空けて設けられている。これら固定穴５１７には、ガイド板５１の右端部に対して、分割面板４３０を固定する為のネジが締結される。さらに、ガイド板５１の背面側であって、右端部の略中央部近傍には、バネ係止部５１９が設けられている。バネ係止部５１９には、軸ピン２５に装着されるバネ１００の一端部１０１（図２１参照）が係止される。
【００５０】
ここで、図９に示すように、ガイド板５１の右端部には、分割面板４３０がネジで固定される。分割面板４３０は、右側面視上下方向に長い略半円形状に形成され、左ボールユニット４３の右側部を塞ぐことによって、左ボールユニット４３の分割面を形成する。図１２に示すように、分割面板４３０の内面（左側面）の後端部で且つ下部には、被当接部４３１が設けられている。被当接部４３１には、磁石（図示略）が埋設されている。回転前の左ボールユニット４３において、被当接部４３１は、昇降スライダ４２の凸部４２６の第一当接面４２６１（図１３参照）に対して右方から当接する。これにより、左ボールユニット４３が回転前の状態から正面視時計回りに回転するのを規制する。さらに、第一当接面４２６１に被当接部４３１が当接した状態において、被当接部４３１の磁石と、第一当接面４２６１の磁石が互いに引き合うことによって、被当接部４３１は第一当接面４２６１から容易に離れないようになっている。これにより、左ボールユニット４３が自重によって、昇降スライダ４２の前面において、正面視反時計回りに回転して下方に垂れてしまうのを防止できる。よって、演出装置３０は、左ボールユニット４３を回転前の垂直に立った状態に保持できる。
【００５１】
左ボールユニット４３においては、分割面板４３０の後端部に隣接して、回転ベース５０の右端部が直交するように配置されている。それ故、分割面板４３０の後端部において、回転ベース５０の爪部５０５〜５０７が右方に突出するように配置され、それら間に凹部５００１，５００２が配置される。
【００５２】
図１９を参照し、カム板５２の形状を説明する。なお、本実施形態は、図１９に示す回転前のカム板５２の向きで説明する。カム板５２は、回転ベース５０とガイド板５１の間に配置される（図１６，図２０参照）。カム板５２の中心部には、円形状の軸穴５２０が設けられている。軸穴５２０には、ガイド板５１の中心軸穴５１０から後方に突出する軸ピン２５が挿入される。これにより、カム板５２は、軸ピン２５を中心に回転自在に支持される。カム板５２は、軸ピン２５を中心に径方向に延びる。カム板５２において、軸穴５２０の近傍上部には溝カム５２１が設けられ、軸穴５２０の近傍左側部には溝カム５２２が設けられ、軸穴５２０の近傍下部には溝カム５２３が設けられている。これら３本の溝カム５２１〜５２３は、軸穴５２０とカム板５２の外縁部との間において、背面視時計回り側に傾斜しつつ径方向外側に延びる。さらに、溝カム５２１〜５２３は、長手方向の略中央部分が背面視反時計回り側に若干膨らむ略円弧状に形成されている。
【００５３】
溝カム５２１は、ガイド板５１の第一ガイド穴５１１に対応し、溝カム５２２は、ガイド板５１の第二ガイド穴５１２に対応し、溝カム５２３は、ガイド板５１の第三ガイド穴５１３に対応する。図２１に示すように、溝カム５２１には、コロ部材６１が摺動可能に係止する。溝カム５２２には、コロ部材６２が摺動可能に係止する。溝カム５２３には、コロ部材６３が摺動可能に係止する。
【００５４】
溝カム５２１と溝カム５２２の間には、板状部５２５が設けられている。板状部５２５の背面には、バネ係止部５２６が設けられている。バネ係止部５２６には、軸ピン２５に装着されるバネ１００の他端部１０２が係止される（図２１参照）。板状部５２５の外方に突出する角部には、被当接部５２７が設けられている。被当接部５２７は、カム板５２の後方に向けて略直角に突出する棒状に形成されている。後述するが、被当接部５２７は、左ボールユニット４３が回転する途中において、昇降スライダ４２の前面に設けられた凸部４２６の第二当接面４２６２（図１３参照）に当接し、カム板５２の回転を停止させるものである。
【００５５】
図４，図５，図２０を参照し、ボール表面部材５４〜５７の形状を説明する。なお、本実施形態は、図２０に示す回転前のボール表面部材５４〜５７の向きで説明する。図４，図５に示すように、ボール表面部材５４〜５６は、例えば垂直に立てたボールの正面視左半分の表面を３分割した３枚のボール表面の形状を模している。
【００５６】
図２０に示すように、ボール表面部材５４は、左ボールユニット４３の回転前の状態において、ガイド板５１の前面上部を前方から覆う略球面状に形成されている。ボール表面部材５４は、連結部材６６を介して、ガイド板５１の第一ガイド穴５１１に摺動可能に係止するコロ部材６１と連結している。それ故、ボール表面部材５４は、第一ガイド穴５１１の方向（第一方向：図２１参照）において安定して移動可能に支持される。ボール表面部材５５は、左ボールユニット４３の回転前の状態において、ガイド板５１の前面左側の上下方向略中央部を前方から覆う略球面状に形成されている。ボール表面部材５５は、連結部材６７を介して、ガイド板５１の第二ガイド穴５１２に摺動可能に係止するコロ部材６２と連結している。それ故、ボール表面部材５５は、第二ガイド穴５１２の方向（第二方向：図２１参照）において安定して移動可能に支持される。
【００５７】
なお、連結部材６７は、ガイド板５１の二本の補助ガイド穴５１４に摺動可能に係止する二つのコロ部材６４，６５とも連結している。ボール表面部材５５は、他のボール表面部材５４，５６よりも面積が大きいことから、それを支持する連結部材６７も、他の連結部材６６，６８より面積が大きい。そこで、本実施形態においては、連結部材６７を三つのコロ部材６２，６４，６５に連結させることで、連結部材６７を介して、大きなボール表面部材５５を安定して移動させることができる。
【００５８】
ボール表面部材５６は、左ボールユニット４３の回転前の状態において、ガイド板５１の前面下部を前方から覆う略球面状に形成されている。ボール表面部材５６は、連結部材６８を介して、ガイド板５１の第三ガイド穴５１３に摺動可能に係止するコロ部材６３と連結している。それ故、ボール表面部材５６は、第三ガイド穴５１３の方向（第三方向：図２１参照）において安定して移動可能に支持される。
【００５９】
ボール表面部材５７は、左ボールユニット４３の回転前の状態において、分割面板４３０の前端部の上下方向略中央部に設けられ（図９参照）、ボール表面部材５４〜５６の夫々の正面視径方向内側の各端部に対し、前方から重なるように配置されている。ボール表面部材５７は、正面視略上下方向に長い略長方形状に形成され、例えば垂直に立てたボールの略中央部に形成される「紐部」の左半分を模している。ボール表面部材５７の右端面の上下には、一対の磁石部５７１，５７２（図９，図２０参照）が設けられている。
【００６０】
図２０を参照し、内部表面部材５３の形状を説明する。内部表面部材５３は、ガイド板５１の前面側を覆うように、ガイド板５１の前面側にネジで固定されている。内部表面部材５３は、略球面状に形成された透明の樹脂部材であり、その背面側には、多数のＬＥＤを有するＬＥＤ基板（図示略）が取り付けられている。内部表面部材５３は、ＬＥＤ基板から照射される光を前方に透過するが、例えば光が乱反射するように加工するとよい。内部表面部材５３は、ボール表面部材５４〜５７の背面側に位置する。それ故、後述するように、左ボールユニット４３が回転しつつ３枚のボール表面部材５４〜５６が外方に向けて移動すると、その隙間から内部表面部材５３が部分的に露出し、乱反射する光が前側に漏れ出るようになっている（図１０参照）。
【００６１】
図２４を参照し、右ボール演出装置３６の構造を説明する。右ボール演出装置３６の構造は、左ボール演出装置３５とほぼ左右対称の構造であるので、上記説明を援用しながら簡単に説明する。
【００６２】
右ボール演出装置３６は、支柱部７０、被ガイド部７１、昇降スライダ７２、右ボールユニット７３、昇降装置７４等を備え、右ボール演出装置３６に対して左右対称の略逆Ｌ字状に形成されている。支柱部７０は、左ボール演出装置３５の支柱部４０と同様の構造を備える。支柱部７０の右側面上部には、スライダ保持装置７５が設けられている。スライダ保持装置７５は、昇降スライダ７２を所定位置に保持可能である。スライダ保持装置７５は、昇降スライダ７２の保持を解除することで、昇降スライダ７２と共に右ボールユニット７３を自由落下させることができる。
【００６３】
支柱部７０の前面下部には、一対のガイドローラ７０Ａが設けられている。一対のガイドローラ７０Ａは、支持体３１の下側ガイド部材３７に設けられたガイドレール３７Ａ（図７参照）に沿って左右方向に摺動可能に支持される。被ガイド部７１は、支柱部７０の上端部から左方向に突出する略角筒状に形成されている。被ガイド部７１の内側には、レール部材３２が挿通する（図４参照）。それ故、被ガイド部７１は、レール部材３２に沿って左右方向にガイドされる。
【００６４】
図８に示すように、支柱部７０の背面上部と、被ガイド部７１の背面右端部とには、金属製の補強板７６が固定されている。補強板７６の背面の右下角部には、ガイドピン７７が設けられている。ガイドピン７７は、後述する右アーム部材９２の作用端部９２３によって左右方向に押される。これにより、右ボール演出装置３６が左右方向に移動する。
【００６５】
図２４に示すように、昇降スライダ７２は、支柱部７０の前面に沿って移動可能に支持されている。昇降スライダ７２には、支柱部７０の前面に設けられた長穴（図示略）を介して、支柱部７０の穴部を昇降するラック部材に設けられた突起部（図示略）が下方から当接可能である。昇降装置７４は、左ボール演出装置３５の昇降装置４４と同じ構造である。昇降装置７４のモータ７４Ａが駆動すると、ピニオンギアが回転し、ラック部材が上昇する。昇降スライダ７２は、ラック部材に設けられた突起部によって上方に持ち上げられる。そして、昇降スライダ７２がスライダ保持装置７５に保持されることによって、右ボールユニット７３が昇降スライダ７２を介して所定位置に保持される。右ボールユニット７３は、昇降スライダ７２の前面に設けられたガイド溝（図示略）に沿って正面視反時計回りに９０°の範囲内で、仮想中心軸Ｑ２を中心に、回転可能に支持されている（図６参照）。仮想中心軸Ｑ２は、例えば、右ボールユニット７３の図示しない回転ベースの左端部の長手方向略中央部に設定される。仮想中心軸Ｑ２は、左ボールユニット４３の仮想中心軸Ｑ１と平行である。そして、右ボールユニット７３において、仮想中心軸Ｑ２は、分割面板７３０の外面（左側面）に沿うようにして配置され、右ボールユニット７３の回転軸として機能する。なお、「分割面板７３０の外面（左側面）に沿う」とは、外面に接する形態のみならず、外面から隙間を介して沿っている形態も含む意味である。昇降スライダ７２には、右ボールユニット７３を回転させる為のモータ２７（図８参照）が固定されている。
【００６６】
右ボールユニット７３は、左ボールユニット４３の構造と左右対称の構造を備える。右ボールユニット７３は、前面側にボール表面部材８４〜８７を備える。ボール表面部材８４〜８７は、左ボールユニット４３のボール表面部材５４〜５７と左右対称形状である。これらボール表面部材８４〜８７の背面側には、内部表面部材８８（図６参照）が設けられている。右ボールユニット７３は、分割面板７３０の後端部近傍に、左方に突出する爪部８０５，８０６を備える。爪部８０５，８０６の形状は、左ボールユニット４３の爪部５０５〜５０７の形状と同一である。爪部８０５の上側には凹部８００１が設けられ、爪部８０５と８０６の間には凹部８００２が設けられ、爪部８０６の下側には凹部８００３が設けられている。回転前の初期状態において、爪部８０５は、左ボールユニット４３の分割面板４３０の凹部５００１と対向し、爪部８０６は、左ボールユニット４３の分割面板４３０の凹部５００２と対向する。凹部８００１は、左ボールユニット４３の分割面板４３０の爪部５０５と対向し、凹部８００２は、左ボールユニット４３の分割面板４３０の爪部５０６と対向し、凹部８００３は、左ボールユニット４３の分割面板４３０の爪部５０７と対向する。
【００６７】
図５〜図８を参照し、左側移動機構部３８の構成を説明する。左側移動機構部３８は、左ボール演出装置３５をレール部材３３に沿って左右方向に移動させることができる。図５，図８に示すように、左側移動機構部３８は、支持体３１の左枠部３１Ｂ（図３参照）に設けられ、ベース部材８０、左モータ８１、左アーム部材８２、円板カム８３等を備える。
【００６８】
ベース部材８０は、正面視略矩形状の板部材であって、面方向が前後方向に向くように、支持体３１の左枠部３１Ｂの下側にネジで固定されている。左モータ８１は、ベース部材８０の前面下部に固定されている。左モータ８１の出力軸８１１（図８参照）は、ベース部材８０の前面下部に設けられた貫通穴（図示略）に挿入され、ベース部材８０の背面側に突出している。出力軸８１１の先端部には、ギア８１２が固定されている。
【００６９】
左アーム部材８２は、長尺状に形成され、例えば透明の樹脂部材で形成するとよい。透明にすることで、目立ち難くすることができる。左アーム部材８２は、基端部８２１、アーム部８２２、作用端部８２３を備える。基端部８２１は、左アーム部材８２の長手方向一端部で且つ回転可能に軸支される側の端部である。作用端部８２３は、左アーム部材８２の基端部８２１とは反対側の自由端部である。アーム部８２２は、基端部８２１と作用端部８２３の間の部位である。基端部８２１は、ベース部材８０の背面側であって左モータ８１の右斜め下近傍に回転軸８２４によって揺動可能に軸支されている。回転軸８２４には、コイル状のバネ１２０が装着されている。バネ１２０は、左アーム部材８２を、回転軸８２４を中心に右側に回動するように常時付勢する。
【００７０】
図４，図８に示すように、左ボールユニット４３と右ボールユニット７３が合体した状態では、アーム部８２２は、基端部８２１から右斜め上方に延設される。さらに、アーム部８２２においては、支持体３１の中央とは反対側である左方に向けて凸となるように湾曲している。作用端部８２３は、右斜め上方に延設されたアーム部８２２の上端部からさらに上方に曲がっている。作用端部８２３には、ガイド穴８２５が設けられている。ガイド穴８２５は、作用端部８２３の形状に沿った長穴であり、作用端部８２３の形状と同様に、その長手方向中央部において上方に曲がっている。ガイド穴８２５には、左ボール演出装置３５の背面上部に設けられたガイドピン４７が前側から挿入され、作用端部８２３とガイドピン４７が互いに連結されている。ガイド穴８２５の内縁部の角部はテーパ状に形成されている。それ故、ガイドピン４７はガイド穴８２５の内縁部に沿って滑らかに摺動可能である。
【００７１】
作用端部８２３には、金属製の補強板８２８が埋設されている。補強板８２８は、ガイド穴８２５に対応する開口部（図示略）を備える略リング状に形成されている。それ故、ガイド穴８２５の周囲を補強できる。基端部８２１の左側には、横幅が広くなった幅広部８２６が設けられている。幅広部８２６には、ガイド穴８２７が設けられている。ガイド穴８２７は、回転軸８２４から作用端部８２３に向かう方向に対して、回転軸８２４を中心に左側に傾斜して延設された略直線状の長穴である。
【００７２】
図８に示すように、円板カム８３は、ベース部材８０の背面側におけるギア８１２の上側近傍に設けられ、前後方向に延びる回転軸８３１を中心に回転可能に軸支されている。円板カム８３は、その前面側にギア（図示略）を有する。該ギアは、ギア８１２と噛合している。それ故、左モータ８１が駆動すると、ギア８１２を介して、円板カム８３が回転する。円板カム８３の背面側には、ガイド軸８３２が設けられている。ガイド軸８３２は、回転軸８３１から偏心した位置に設けられ、後方且つ回転軸８２４に対して平行に突出している。ガイド軸８３２は、左アーム部材８２の幅広部８２６に設けられたガイド穴８２７に沿って摺動可能に係止している。
【００７３】
図５〜図８を参照し、右側移動機構部３９の構成を説明する。なお、右側移動機構部３９の構成は、左側移動機構部３８の構成とほぼ左右対称であるので、上記説明を援用しながら簡単に説明する。
【００７４】
右側移動機構部３９は、右ボール演出装置３６をレール部材３２に沿って左右方向に移動させることができる。図５，図８に示すように、右側移動機構部３９は、支持体３１の右枠部３１Ｃに設けられ、左側移動機構部３８と同様に、ベース部材９０、右モータ９１、右アーム部材９２、円板カム９３等を備える。ベース部材９０は、面方向が前後方向となるように、支持体３１の右枠部３１Ｃにネジで固定されている。右モータ９１は、ベース部材８０の前面下部に固定されている。右モータ９１の出力軸９１１（図８参照）は、ベース部材８０の前面下部に設けられた貫通穴（図示略）に挿入され、ベース部材９０の背面側に突出している。出力軸９１１の先端部には、ギア９１２が固定されている。
【００７５】
右アーム部材９２は、左アーム部材８２と左右対称形状である。右アーム部材９２は、左アーム部材８２と同様に、基端部９２１、アーム部９２２、作用端部９２３を備える。基端部９２１は、ベース部材９０の背面側であって右モータ９１の左斜め下近傍に回転軸９２４によって揺動可能に軸支されている。回転軸９２４には、コイル状のバネ１３０が装着されている。バネ１３０は、右アーム部材９２を、回転軸９２４を中心に左側に回動するように常時付勢する。
【００７６】
図５，図８に示すように、左ボールユニット４３と右ボールユニット７３が合体した状態では、アーム部９２２は、基端部９２１から左斜め上方に延設される。さらに、アーム部９２２においては、支持体３１の中央とは反対側である右方に向けて凸となるように湾曲している。作用端部９２３は、右斜め上方に延設されたアーム部８２２の上端部からさらに上方に曲がっている。作用端部９２３には、ガイド穴９２５が設けられている。ガイド穴９２５は、作用端部９２３の形状に沿った長穴であり、作用端部９２３の形状と同様に、その長手方向中央部において上方に曲がっている。ガイド穴９２５には、右ボール演出装置３６の背面上部に設けられたガイドピン７７が前側から挿入され、作用端部９２３がガイドピン７７と連結されている。作用端部９２３にも、金属製の補強板９２８が埋設されている。
【００７７】
基端部９２１の右側には、横幅が広くなった幅広部９２６が設けられている。幅広部９２６には、ガイド穴９２７が設けられている。ガイド穴９２７は、回転軸９２４から作用端部９２３に向かう方向に対して、回転軸９２４を中心に右側に傾斜して延設された略直線状の長穴である。
【００７８】
図８に示すように、円板カム９３は、ベース部材９０の背面側におけるギア９１２の上側近傍に設けられ、回転軸９３１を中心に回転可能に軸支されている。円板カム９３の前面側に設けられたギアは、ギア９１２と噛合している。それ故、右モータ９１が駆動すると、ギア９１２を介して、円板カム９３が回転する。円板カム９３の背面側には、ガイド軸９３２が設けられている。ガイド軸９３２は、回転軸９３１から偏心した位置に設けられ、後方且つ回転軸９２４に対して平行に突出している。ガイド軸９３２は、右アーム部材９２の幅広部９２６に設けられたガイド穴９２７に沿って摺動可能に係止している。
【００７９】
図４〜図８、図２１〜図２３を参照し、左ボール演出装置３５及び右ボール演出装置３６の演出動作を説明する。なお、左ボール演出装置３５及び右ボール演出装置３６の夫々の演出動作は、ほぼ左右対称の動作であるので、本実施形態では、左ボール演出装置３５の演出動作を中心に説明する。
【００８０】
−初期状態−
先ず、図４に示す初期状態では、左ボール演出装置３５は、支持体３１の左枠部３１Ｂに位置し、右ボール演出装置３６は、支持体３１の右枠部３１Ｃに位置する。それ故、左ボールユニット４３と右ボールユニット７３は、左右両側に夫々分離して離間した状態である。初期状態では、左アーム部材８２及び右アーム部材９２は、回転軸８２４，９２４から何れも垂直に立った状態である（図７参照）。
【００８１】
左ボール演出装置３５において、左ボールユニット４３の分割面板４３０は垂直に立った状態である。昇降スライダ４２の凸部４２６の第一当接面４２６１には、分割面板４３０の被当接部４３１が当接する。第一当接面４２６１に埋設された磁石と、被当接部４３１に埋設された磁石が互いに引き合うことによって、仮に、演出装置３０に振動が生じた場合でも、左ボールユニット４３は回転前の姿勢を保持できる。右ボール演出装置３６においても同様である。
【００８２】
−第一演出動作（合体動作）−
初期状態において、左ボール演出装置３５の左側移動機構部３８の左モータ８１と、右ボール演出装置３６の右側移動機構部３９の右モータ９１が同時に駆動する。左ボール演出装置３５において、左モータ８１が駆動すると、出力軸８１１と共にギア８１２が背面視反時計回りに回転する。これに伴い、ギア８１２とギアが噛合する円板カム８３は、背面視時計回りに回転する。これにより、左アーム部材８２の幅広部８２６に設けられたガイド穴８２７の内側において、ガイド軸８３２は、回転軸８３１を中心に背面視時計回りに回転する。このとき、ガイド軸８３２は、ガイド穴８２７を右方に押し込みながらガイド穴８２７に沿って上側に移動した後、折り返して下方に移動する。これにより、左アーム部材８２は、基端部８２１の回転軸８２４を中心に右側に揺動する。このとき、左アーム部材８２の作用端部８２３は、回転軸８２４を中心に円弧を描きながら右方に揺動する。これにより、左ボール演出装置３５の背面上部のガイドピン４７は、作用端部８２３のガイド穴８２５の内縁部によって右方に押し込まれるので、左ボール演出装置３５は、レール部材３３に沿って右方に移動する。
【００８３】
一方、右ボール演出装置３６においても、左ボール演出装置３５と同じ仕組みで、右ボール演出装置３６の背面上部のガイドピン７７が、作用端部９２３のガイド穴９２５の内縁部によって左方に押し込まれるので、右ボール演出装置３６は、レール部材３２に沿って左方に移動する。これにより、左ボール演出装置３５と右ボール演出装置３６は、左右両側から中央部に向けて移動する。
【００８４】
左アーム部材８２が右方に傾斜するにつれて、ガイドピン４７はガイド穴８２５の先端側に移動する。右アーム部材９２が左方に傾斜するにつれて、ガイドピン７７はガイド穴９２５の先端側に移動する。そして、左ボールユニット４３の分割面板４３０と、右ボールユニット７３の分割面板７３０とが互いに対向して近付くと、左アーム部材８２の作用端部８２３の先端側が上方に曲げられているので、左アーム部材８２が右方に傾斜していても、ガイド穴８２５の先端側の内縁部は上下方向に沿った状態で、ガイドピン４７に対して左方から当たることができる。これにより、作用端部８２３が右方に傾斜するに伴い、ガイド穴８２５の先端側の内縁部は、ガイドピン４７を右方に向けて略水平に無理なく最後まで押し込むことができる。一方、右アーム部材９２においても同様に、作用端部９２３が左方に傾斜するに伴い、ガイド穴９２５の先端側の内縁部は、ガイドピン７７を左方に向けて略水平に無理なく最後まで押し込むことができる。
【００８５】
そして、左ボールユニット４３の分割面板４３０に設けられた爪部５０５，５０６，５０７（図４参照）は、右ボールユニット７３の分割面板７３０に設けられた凹部８００１，８００２，８００３（図２４参照）に夫々差し込まれて嵌合する。一方、右ボールユニット７３の分割面板７３０に設けられた爪部８０５，８０６は、左ボールユニット４３の分割面板４３０に設けられた凹部５００１，５００２に夫々差し込まれて嵌合する。ここで、爪部５０５〜５０７、８０５，８０６は先細り状に形成されているので、仮に凹部に対して爪部の位置が多少ずれていても、凹部に爪部を嵌合させることができる。そして、凹部に爪部が挿入されるときに、左ボールユニット４３と右ボールユニット７３の位置ずれは補正されるので、左ボールユニット４３と右ボールユニット７３を精度よく合体できる。
【００８６】
このようにして、左ボールユニット４３と右ボールユニット７３が互いに合体し、垂直に立ったボールを形成した状態で、相互の位置関係が保持される。さらに、左ボールユニット４３のボール表面部材５７に設けられた一対の磁石部５７１，５７２（図４参照）と、右ボールユニット７３のボール表面部材８７に設けられた一対の磁石受け部８７１，８７２（図２４参照）とが接触し、互いに引き付け合うことによって、左ボールユニット４３と右ボールユニット７３をより強固に合体させた状態を保持できる。これにより、左ボールユニット４３と右ボールユニット７３に一体感を付与できる。さらには、後述する第二演出動作において、左ボールユニット４３と右ボールユニット７３が回転する途中で離れたりするのを防止できる。なお、磁石受け部８７１，８７２は、磁石部５７１，５７２に吸着可能なものであればよく、例えば磁石で構成してもよく、金属で構成してもよい。
【００８７】
ここで、図５，図８に示すように、左アーム部材８２と右アーム部材９２が互いに中央に傾斜した状態において、アーム部８２２，９２２は、支持体３１（図３参照）の中央部とは反対側である左右両側に向けて凸となるように湾曲している。これにより、左アーム部材８２及び右アーム部材９２に囲まれる下側の領域を広くできるので、支持体３１の開口部３１０に表示装置２０の表示画面２０Ａを配置できる。さらに、左アーム部材８２及び右アーム部材９２は透明の樹脂部材で形成されているので、左アーム部材８２及び右アーム部材９２を透過して、表示画面２０Ａに表示された画像を遊技者に違和感無く見せることができる。
【００８８】
−第二演出動作（回転動作）−
なお、説明の便宜上、ガイド板５１の第一ガイド穴５１１、第二ガイド穴５１２、第三ガイド穴５１３において、中心軸穴５１０側の一端部を「基端部」、その反対側の他端部を「外端部」と呼ぶ。カム板５２の溝カム５２１，５２２，５２３においても、軸穴５２０側の一端部を「基端部」、その反対側の他端部を「外端部」と呼ぶ。
【００８９】
左ボールユニット４３と右ボールユニット７３が合体した状態では、分割面板４３０と７３０が互いに近接し、左ボールユニット４３の仮想中心軸Ｑ１（図９参照）と、右ボールユニット７３の仮想中心軸Ｑ２（図２４参照）とは、互いに同一位置に配置される。
【００９０】
図２１に示すように、左ボールユニット４３の回転前においては、ガイド板５１の第一ガイド穴５１１の基端部と、カム板５２の溝カム５２１の基端部とが重なり、その重なり部分にコロ部材６１が位置している。また、ガイド板５１の第二ガイド穴５１２の基端部と、カム板５２の溝カム５２２の基端部とが重なり、その重なり部分にコロ部材６２が位置している。また、ガイド板５１の第三ガイド穴５１３の基端部と、カム板５２の溝カム５２３の基端部とが重なり、その重なり部分にコロ部材６３が位置している。これにより、仮にガイド板５１に対してカム板５２が背面視時計回りに回転しようとしても、コロ部材６１〜６３が第一ガイド穴５１１、第二ガイド穴５１２、及び第三ガイド穴５１３と、溝カム５２１〜５２３との間に介在するので回転できない。さらに、カム板５２は、バネ１００の他端部１０２によって背面視時計回りに付勢されているので、図２１に示す状態で位置決めされている。右ボールユニット７３の回転前においても同様である。そして、左ボールユニット４３と右ボールユニット７３が合体した状態において、左ボール演出装置３５の昇降スライダ４２に固定されたモータ２６と、右ボール演出装置３６の昇降スライダ７２に固定されたモータ２７とが同時に駆動を開始する。
【００９１】
左ボール演出装置３５において、モータ２６の駆動により、ギア２６Ａ（図１３参照）が正面視時計回り（背面視反時計回り）に回転する。ギア２６Ａは、左ボールユニット４３の回転ベース５０に設けられた円弧状リブ５００のギア部５０１と噛合している。よって、回転ベース５０は、昇降スライダ４２の前面に対して、仮想中心軸Ｑ１（図１９参照）を中心に背面視時計回りに回転する。このとき、ガイド板５１も、回転ベース５０と一体して、仮想中心軸Ｑ１を中心に背面視時計回りに回転する。カム板５２は、上記の通り、バネ１００の他端部１０２によって、軸ピン２５を中心に背面視時計回り方向に付勢されているので、回転ベース５０及びガイド板５１と共に、図２１に示す位置関係を保った状態で、仮想中心軸Ｑ１を中心に背面視時計回りに回転する。このとき、ガイド板５１に対するカム板５２の位置が変わらないので、コロ部材６１〜６３の位置も変わらない。それ故、ボール表面部材５４〜５６の位置が変わらないまま、左ボールユニット４３は仮想中心軸Ｑ１を中心に背面視時計回りに回転する。
【００９２】
そして、左ボールユニット４３が回転前の位置から約７０°回転すると、カム板５２の被当接部５２７に対して、昇降スライダ４２の前面に設けられた凸部４２６の第二当接面４２６２（図１３参照）が当接する。これにより、カム板５２の回転のみが停止され、回転ベース５０とガイド板５１は引き続き仮想中心軸Ｑ１を中心に回転する。つまり、カム板５２の位置が変わらない状態で、ガイド板５１が仮想中心軸Ｑ１を中心に背面視時計回りに回転するので、カム板５２は、バネ１００の付勢力に抗して、ガイド板５１に対して相対的に背面視反時計回りに回転し始める。
【００９３】
カム板５２の回転に伴い、ガイド板５１の第一ガイド穴５１１、第二ガイド穴５１２、第三ガイド穴５１３に対して、カム板５２の溝カム５２１，５２２，５２３の位置が変わる。例えば、回転前の状態では、第一ガイド穴５１１の基端部と溝カム５２１の基端部とが互いに重なっているが（図２１参照）、この状態からカム板５２がガイド板５１に対して相対的に背面視反時計回りに回転すると、第一ガイド穴５１１と溝カム５２１とが重なる重複位置が、第一ガイド穴５１１の外端部に向かう方向である第一方向に徐々に移動する。そして、この重複位置に、コロ部材６１が位置する。即ち、重複位置の移動に伴い、コロ部材６１は、溝カム５２１の内縁部によって第一方向に押し上げられる。よって、コロ部材６１に連結部材６６を介して連結するボール表面部材５４は、第一方向に向かって移動を開始する。なお、その他のボール表面部材５５，５６においても同様の仕組みで第二方向及び第三方向に移動する。
【００９４】
一方、右ボール演出装置３６においても同様に、モータ２７の駆動により、右ボールユニット７３が仮想中心軸Ｑ２を中心に回転を開始する。このとき、左ボールユニット４３は仮想中心軸Ｑ１を中心に、右ボールユニット７３の下側に回動し、右ボールユニット７３は仮想中心軸Ｑ２を中心に、左ボールユニット４３の上側に回動する。即ち、演出装置３０を正面から見た場合、左ボールユニット４３及び右ボールユニット７３は、仮想中心軸Ｑ１，Ｑ２を中心に反時計回りに回転する（図５中の回転方向Ｒ１参照）。そして、右ボールユニット７３が回転前の位置から約７０°回転すると、左ボールユニット４３と同様に、ボール表面部材８４〜８６も外方に向けて移動を開始する。これにより、図６に示すように、演出装置３０は、あたかもボールが回転しながら、その表面が６つに割れるという極めて特徴的な演出をさせることができる。さらに、ボール表面部材５４〜５６、８４〜８６が外方に向けて移動するに伴い、それまで内側に隠れていた内部表面部材５３，８８が部分的に露出し、ボール表面部材５４〜５６、８４〜８６の割れた隙間から乱反射する光が漏れる。これにより、ボール表面部材５４〜５６、８４〜８６が割れる状態をより強調して見せることができる。
【００９５】
そして、左ボールユニット４３が回転前の位置から約９０°回転すると、回転ベース５０に設けられたコロ部材２４（図１６参照）が、昇降スライダ４２の前面のガイド溝４２３の下端部に当接するので、左ボールユニット４３の回転が停止する。このとき、図２２，図２３に示すように、コロ部材６１〜６３は、ガイド板５１の第一ガイド穴５１１、第二ガイド穴５１２、第三ガイド穴５１３の夫々の外端部に位置する。よって、ボール表面部材５４〜５６の移動は停止する。一方、右ボールユニット７３においても、左ボールユニット４３と同様の仕組みで、回転前の位置から約９０°回転すると、ボール表面部材８４〜８６の移動は停止する。このようにして、演出装置３０は、図６に示すように、左ボールユニット４３と右ボールユニット７３を合体した状態から、正面視反時計回りに約９０°回転した状態で停止させ、その姿勢を安定して保持できる。
【００９６】
以上説明したように、本実施形態のパチンコ機１は、演出装置３０を備える。演出装置３０は、左ボール演出装置３５、右ボール演出装置３６、左側移動機構部３８、右側移動機構部３９等を備える。左ボール演出装置３５及び右ボール演出装置３６は、レール部材３２，３３によって、左右方向において互いに接離するように移動可能に支持されている。左ボール演出装置３５には、左ボールユニット４３が設けられている。右ボール演出装置３６には、右ボールユニット７３が設けられている。左側移動機構部３８及び右側移動機構部３９は、左ボール演出装置３５及び右ボール演出装置３６を、左右両側から中央に移動させ、左ボールユニット４３と右ボールユニット７３を夫々の互いに対向する分割面板４３０と７３０で互いに近接させて合体させることができる。そして、左ボールユニット４３の分割面板４３０には、３本の爪部５０５〜５０７と、２つの凹部５００１，５００２が設けられている。右ボールユニット７３の分割面板７３０には、２つの爪部８０５，８０６と、３つの凹部８００１〜８００３が設けられている。左ボールユニット４３と右ボールユニット７３を互いに近接させて合体させるとき、爪部５０５〜５０７は、凹部８００１〜８００３に差し込まれて嵌合し、爪部８０５，８０６は、凹部５００１，５００２に差し込まれて嵌合する。これにより、左ボールユニット４３と右ボールユニット７３の合体精度を向上できる。また、合体した状態の左ボールユニット４３と右ボールユニット７３に一体感を付与できるので、左ボールユニット４３と右ボールユニット７３を合体した状態で一体的に回転させる等の演出動作を行うことができる。
【００９７】
また、左ボールユニット４３の爪部５０５〜５０７、右ボールユニット７３の爪部８０５，８０６は、対向する凹部８００１〜８００３、及び凹部５００１，５００２に向けて先端側が先細り状に形成されているので、凹部に対して爪部の位置が多少ずれていても、凹部に爪部を嵌合させることができる。そして、凹部に爪部が挿入されるときに、左ボールユニット４３と右ボールユニット７３の相互の位置ずれは補正されるので、左ボールユニット４３と右ボールユニット７３を精度よく合体できる。
【００９８】
また、左ボールユニット４３のボール表面部材５７の右側面と、右ボールユニット７３のボール表面部材８７の左側面は、分割面板４３０と７３０の近傍であって、左ボールユニット４３と右ボールユニット７３が互いに近付くときに対向する部分である。ボール表面部材５７の右側面には、磁石部５７１，５７２が設けられ、ボール表面部材８７の左側面には、磁石部５７１，５７２に対向する位置に、磁石受け部８７１，８７２が設けられている。これにより、左ボールユニット４３と右ボールユニット７３の夫々の分割面板４３０と７３０が互いに近付いたとき、磁石部５７１，５７２と磁石受け部８７１，８７２が互いに吸着するので、左ボールユニット４３と右ボールユニット７３の合体精度をより向上できる。また、夫々の分割面板４３０と７３０が互いに吸着した状態となるので、左ボールユニット４３と右ボールユニット７３が容易に離れないようにできる。これにより、左ボールユニット４３と右ボールユニット７３が回転する途中で離れたりするのを防止できる。
【００９９】
なお、上記説明において、左ボール演出装置３５は本発明の「第一可動体」の一例である。右ボール演出装置３６は本発明の「第二可動体」の一例である。左ボールユニット４３は本発明の「第一役物」の一例である。右ボールユニット７３は本発明の「第二役物」の一例である。左側移動機構部３８及び右側移動機構部３９は、本発明の「移動駆動手段」の一例である。左ボールユニット４３の分割面板４３０、ボール表面部材５７の右側面、回転ベース５０の右端部は、本発明の「対向部」の一例である。右ボールユニット７３の分割面板７３０、ボール表面部材８７の左側面、回転ベースの左端部は、本発明の「対向部」の一例である。左ボールユニット４３の爪部５０５〜５０７、右ボールユニット７３の爪部８０５，８０６は、本発明の「凸部」の一例である。左ボールユニット４３の凹部５００１，５００２、右ボールユニット７３の凹部８００１〜８００３は、本発明の「凹部」の一例である。
【０１００】
なお、本発明は、上記の実施形態に限定されるものではなく、種々の変更が可能である。演出装置３０は、左ボール演出装置３５及び右ボール演出装置３６を左右両側から中央部に移動させ、中央部で合体した状態から一体して回転させるものであるが、何れか一方の演出装置のみ、その演出装置を動作させるものでもよい。また、上記実施形態では、左ボール演出装置３５及び右ボール演出装置３６を同時に移動させて一体して回転させているが、個々に移動させて回転させてもよい。
【０１０１】
また、左ボールユニット４３の爪部と凹部の数、右ボールユニット７３の爪部と凹部の数は、上記実施形態に限らず、自由に変更可能であるが、複数設けるのが好ましい。複数設けることで、左ボールユニット４３と右ボールユニット７３をより強固に合体した状態を保持できる。
【０１０２】
また、左アーム部材８２及び右アーム部材９２は、夫々の長手方向の中間部を、支持体３１の中央部とは反対側である外方に向けて凸となるように湾曲させているが、その湾曲させる角度は自由に変更してもよい。また、緩やかに湾曲させる以外に、急な角度で一箇所若しくは複数箇所を屈曲させてもよい。さらには、直線状に形成してもよい。
【０１０３】
左アーム部材８２の作用端部８２３、右アーム部材９２の作用端部９２３には、金属製の補強板８２８，９２８を埋設しているが、左アーム部材８２及び右アーム部材９２の少なくとも作用端部８２３，９２３を補強すればよく、例えば、左アーム部材８２及び右アーム部材９２全体を金属板で補強してもよい。また、補強板８２８，８２９を埋設する以外に、例えば、作用端部８２３，９２３に固定してもよい。また、左アーム部材８２及び右アーム部材９２を金属で形成してもよく、部分的に金属で形成してもよい。
【０１０４】
また、演出装置３０は、役物の一例として、ボールを模した左ボールユニット４３、及び右ボールユニット７３を動作させる左ボール演出装置３５、及び右ボール演出装置３６を説明したが、ボール形状に限定せず、他の形状であってもよい。左ボールユニット４３、及び右ボールユニット７３は、必ずしも球状でなくてよく、種々の形状に変更してもよい。好ましくは、左右方向から移動して合体したときに一つの形状が完成する様な一対の形状にするとよい。
【０１０５】
また、左ボールユニット４３は、３枚のボール表面部材５４〜５６を移動させることによって、ボール表面が分割される様子を表現しているが、ボール表面部材の数は何個でもよく、一個でもよいが複数が好ましい。右ボールユニット７３においても同様である。
【０１０６】
また、上記実施形態のスライダ保持装置４５は、昇降スライダ４２を所定位置に保持するものであるが、例えば高さが異なる複数の所定位置に保持するようにしてもよい。
【０１０７】
また、上記実施形態では、左ボールユニット４３が基本姿勢のとき、分割面板４３０の内面に設けられた被当接部４３１は、左ボール演出装置３５の昇降スライダ４２の前面に設けられた凸部４２６の第一当接面４２６１と当接するようになっているが、近接した状態であってもよい。磁石による吸着効果が得られ範囲内であれば、被当接部４３１と第一当接面４２６１の間に隙間があってもよい。
【０１０８】
なお、請求項、明細書および図面に記載される全ての要素（例えば、演出装置、図柄表示部、電動役物、入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示画面」は、ハード単体でも、ソフトを含んだものであっても構わない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１０９】
１            パチンコ機
３０            演出装置
３５            左ボール演出装置
３６            右ボール演出装置
３８            左側移動機構部
３９            右側移動機構部
４３            左ボールユニット
５０            回転ベース
５７            ボール表面部材
７３            右ボールユニット
８７            ボール表面部材
４３０            分割面板
５０５〜５０７、８０５，８０６    爪部
５００１，５００２、８００１〜８００３  凹部
５７１，５７２    磁石部
８７１，８７２    磁石受け部
７３０    分割面板
【図１】
2019037363.tif 000003
【図２】
2019037363.tif 000004
【図３】
2019037363.tif 000005
【図４】
2019037363.tif 000006
【図５】
2019037363.tif 000007
【図６】
2019037363.tif 000008
【図７】
2019037363.tif 000009
【図８】
2019037363.tif 000010
【図９】
2019037363.tif 000011
【図１０】
2019037363.tif 000012
【図１１】
2019037363.tif 000013
【図１２】
2019037363.tif 000014
【図１３】
2019037363.tif 000015
【図１４】
2019037363.tif 000016
【図１５】
2019037363.tif 000017
【図１６】
2019037363.tif 000018
【図１７】
2019037363.tif 000019
【図１８】
2019037363.tif 000020
【図１９】
2019037363.tif 000021
【図２０】
2019037363.tif 000022
【図２１】
2019037363.tif 000023
【図２２】
2019037363.tif 000024
【図２３】
2019037363.tif 000025
【図２４】
2019037363.tif 000026